(57)【要約】【課題】  気液接触効率を向上させた気液接触機構を提供する。【解決手段】  複数の充填体構成要素（６）からなり、各充填体構成要素（６）は、装置の内壁および隣り合う充填体構成要素と非接触状態で互いに平行に垂直方向に延長する規則充填体（５）と、液分配器と規則充填体を連結し、液分配器から液体を該規則充填体に供給する複数のアダプターと、液集合器と規則充填体を連結し、該規則充填体からの液体を液集合器に供給する複数のコレクターとを備え、各充填体構成要素（６）は、３筋のワイヤ（６ａ、６ｂ、６ｃ）からなり、３筋のワイヤはそれぞれリング形状部（１５）と集結部（１７）が交互に繰り返す構造を有する物質移動等を行なう装置内の気液接触機構。【選択図】  図２
2008168251.tif 000002
【特許請求の範囲】
【請求項１】
装置の上部に配置された液分配器と装置の下部に配置された液集合器との間において多数の流路を区画する内部構造を有し、気体と液体間の物質移動、熱交換または混合を行なう装置において、
該内部構造を構成する規則充填体であって、複数の充填体構成要素からなり、各充填体構成要素は、装置の内壁および隣り合う充填体構成要素と非接触状態で互いに平行に垂直方向に延長する規則充填体を備え、
前記各充填体構成要素は、２筋のワイヤからなり、該２筋のワイヤはそれぞれリング形状部と集結部が交互に繰り返す構造を有することを特徴とする物質移動等を行なう装置内の気液接触機構。
【請求項２】
該液分配器と該規則充填体を連結し、該液分配器から液体を該規則充填体に供給する複数のアダプターと、該液集合器と該規則充填体を連結し、該規則充填体からの液体を該液集合器に供給する複数のコレクターとをさらに備える請求項１記載の気液接触機構。
【請求項３】
装置の上部に配置された液分配器と装置の下部に配置された液集合器との間において多数の流路を区画する内部構造を有し、気体と液体間の物質移動、熱交換または混合を行なう装置において、
該内部構造を構成する規則充填体であって、複数の充填体構成要素からなり、各充填体構成要素は、装置の内壁および隣り合う充填体構成要素と非接触状態で互いに平行に垂直方向に延長する規則充填体を備え、
前記各充填体構成要素は、３筋のワイヤからなり、該３筋のワイヤはそれぞれリング形状部と集結部が交互に繰り返す構造を有することを特徴とする物質移動等を行なう装置内の気液接触機構。
【請求項４】
該液分配器と該規則充填体を連結し、該液分配器から液体を該規則充填体に供給する複数のアダプターと、該液集合器と該規則充填体を連結し、該規則充填体からの液体を該液集合器に供給する複数のコレクターとをさらに備える請求項３記載の気液接触機構。
【請求項５】
複数の平歯車の各平歯車の回転軸と平行な中心軸を有する２つの貫通孔を各平歯車に形成し、該２つの貫通孔に該２筋のワイヤを挿通させ、該２筋のワイヤにおいて該集結部を形成すべき部分において該平歯車を所定回数回転させ該平歯車の下側において該２筋のワイヤを捩じることにより該集結部を形成し、次に該２筋のワイヤを所定寸法だけ下方に移動させ、該２筋のワイヤにおいてリング形状部を形成すべき部分において、該平歯車の下側にリング形成用の串を該２筋のワイヤの間に位置するように挿入した後該平歯車を所定回数回転させ該平歯車の下側でかつ該串の上側において該２筋のワイヤを捩じることにより集結部を形成し、次に該串を後退させて該２筋のワイヤから引き抜いてリング形状部を形成した後該２筋のワイヤを所定寸法だけ下方に移動させ、その後該串の挿入、該平歯車の回転、該串の引き抜き、該ワイヤの下方移動を繰り返すことにより、該リング形状部と該集結部を交互に繰り返し形成することを特徴とする請求項１記載の充填体構成要素を備える気液接触機構の製造方法。
【請求項６】
複数の平歯車の各平歯車の回転軸と平行な中心軸を有する３つの貫通孔を各平歯車に形成し、該３つの貫通孔に該３筋のワイヤを挿通させ、該３筋のワイヤにおいて該集結部を形成すべき部分において該平歯車を所定回数回転させ該平歯車の下側において該３筋のワイヤを捩じることにより該集結部を形成し、次に該３筋のワイヤを所定寸法だけ下方に移動させ、該３筋のワイヤにおいてリング形状部を形成すべき部分において、該平歯車の下側にリング形成用の串を該３筋のワイヤの間に位置するように挿入した後該平歯車を所定回数回転させ該平歯車の下側でかつ該串の上側において該３筋のワイヤを捩じることにより集結部を形成し、次に該串を後退させて該３筋のワイヤから引き抜いてリング形状部を形成した後該３筋のワイヤを所定寸法だけ下方に移動させ、その後該串の挿入、該平歯車の回転、該串の引き抜き、該ワイヤの下方移動を繰り返すことにより、該リング形状部と該集結部を交互に繰り返し形成することを特徴とする請求項３記載の充填体構成要素を備える気液接触機構の製造方法。
【発明の詳細な説明】
【技術分野】
【０００１】
本発明は、多数の流路に区画された内部構造を有し、上部に配置された液分配器と下部に配置された液集合器を備え、気体と液体間の物質移動、熱交換または混合を行なう装置における気液接触機構に関する。
【背景技術】
【０００２】
従来この種の装置における規則充填体として図１１に部分断面図を示すような規則充填体が知られている。この規則充填体ａは、装置を構成する充填体充填塔の上部に配置された液分配器の下方に所定の間隔をおいて複数の波型に成形され交互に積層されて成る多孔薄板からなるシートｂを波型の斜め方向に延長するように相互に間隔をおいて平行に配置し、充填塔の内壁に当接する位置において逆方向に反転させて斜め方向に延長するように多層配置してなるものである。液分配器から液滴となって自由落下した液体はこれらの薄板シートｂに沿って流下し、シートｂの面を濡らす。一方気体は塔下部の気体入口から入り上昇し、規則充填体ａを通過して塔上部の気体出口から塔外に出る。気体が規則充填体ａを通過する間に気液接触が行われ所望の物質移動、熱交換または混合が行われる。
【特許文献１】特開２００１−１７０４７５号公報
【特許文献２】特開２００４−４４９２７号公報
【発明の開示】
【発明が解決しようとする課題】
【０００３】
上記従来の規則充填体の問題点は、第１に、規則充填体ａを構成するシートｂの一部がその折曲縁において充填塔の内壁ｃに接触することである。これらのシートｂを伝って流下した液体は内壁ｃに移り、その大きな部分は再びシートｂに戻ることなく壁流となって内壁ｃを伝って流下する。一方充填塔内を上昇する気体は断面の半径方向に放物線状の流速分布をもち、中心部がもっとも流速が早く、壁面に近づくと粘性によって流速はゼロに近づく。そのため上昇する気体は塔内の中心部を流れ易く壁面部はほとんど気体が流れないことになる。この気体の偏流により、液体の壁流は気体との接触が中心部を流れる液体よりも少なく、気液接触に不均一が生じる結果達成すべき反応においても不均一が生じる。
【０００４】
上記従来の規則充填体の第２の問題点は、この規則充填体ａにおいては、シートｂが斜めに配置されているため、圧力損失が高く、その分エネルギー消費が高く効率が悪いということである。
【０００５】
上記従来の規則充填体の第３の問題点は、気体の負荷量を増大すると装置の健全な運転ができなくなるため気体の負荷量の上限が比較的に低く押さえられていることである。
【０００６】
すなわち、塔上部の液体分配器から塔内に供給する液の流量を増やすと、下降する液は充填物の表面を広がりながら濡らして行くが、さらに液量を増加すると液膜が厚くなり一部は液滴として液膜から離れる。そこで、液を上から流したままで塔の下部から加える気体の流量を増加すると、高い気体の流速によって液膜表面は乱され液滴になり易く、それは気体によって上方に吹き飛ばされる。これによってせっかくある成分を濃縮して下降してきた液体を逆流させてしまうことになり、反応効率を悪化させる。液滴を気体が吹き飛ばす現象は塔上部の液分配器から液が規則充填体の頂部に落下するまであるいは塔下部に設けた液集合器付近でもよく見られる。それは、たとえば、台風の時の強風によって四方八方に吹き上げられた雨樋からの雨滴のような挙動である。液分配器は塔の断面方向に均一に液体を規則充填体に供給するためのものであり、液滴を吹き飛ばすような上記の挙動は充填塔の性能を下げるため、極力防がなければならない。一方、液集合器は分離した液を上方に液滴として吹き上げることなく集めなければならない。上記従来の装置は、このような気体の流速増加による液分配器と規則充填体との間および規則充填体と液集合器の間の空間における液滴の飛散、吹き上げに対して有効な対応策を持たない。
【０００７】
上記第３の問題点については、この問題を解決するために、特許文献１に記載された液体配給・集合機構が提案されている。この機構においては、図１２に示すように、充填塔ｄの液分配器ｅに取付けられた液体配給パイプｆのノスルｇに複数のストランド部ｍが撚り合わされて形成された液体配給ロープｈが接続され、液体配給ロープｈは規則充填体ｉに接続されている。液体は液体配給パイプｆから液体配給ロープｈおよびこれから二手に分岐するストランド部ｍを伝って規則充填体ｉに分配され、気液接触を完了した液体は、複数のストランド部ｎが撚り合わされて形成された液体集合ロープｊからなる液体集合機構ｋによって液体取り出し口ｌに移送される。したがって、この装置においては、液体は気体速度が高速でも上方に吹き上げられることがなく確実に規則充填体に移送され、また規則充填体から取り出されることが期待される。
【０００８】
この液体配給・集合機構は、理論的には、上記第３の問題点を解決した理想的な液体分配方式に見えるが、実験の結果、液体配給ロープｈを構成する２本のストランド部ｍが同じ本数のワイヤから構成されていたとしても、各ワイヤ間の僅かな撚り角度の差や各ワイヤの表面粗さの差に基く液体のなじみ易さの差等の原因により各ワイヤを最初に流れる液体の流れは各ワイヤとも均一とはならず、最も流れ易いワイヤには他のワイヤに先駆けて液路ができ、後続の液体は追随してこの液路を通り他のワイヤを伝って流れない傾向があるため、液分配器から液体配給ロープｈに流れる液体はこれから分岐する２本のストランド部ｍに必ずしも均等には流れず、その結果規則充填体ｉに流れる液体にも不均一が生じ完全な気液接触ができないことが判った。
【０００９】
上記問題点を解決する装置として、特許文献２は、内部構造を構成する規則充填体であって、複数の充填体構成要素からなり、各充填体構成要素は、装置の内壁および隣り合う充填体構成要素と非接触状態で互いに平行に垂直方向に延長する規則充填体と、該液分配器と該規則充填体を連結し、該液分配器から液体を該規則充填体に供給する複数のアダプターと、該液集合器と該規則充填体を連結し、該規則充填体からの液体を該液集合器に供給する複数のコレクターとを備える気液接触機構を開示している。この装置によれば、各充填体構成要素は、装置の内壁および隣り合う充填体構成要素と非接触状態で互いに平行に垂直方向に延長するので、液分配器から各充填体構成要素に流下した液体は装置の内壁に移って壁流となることなく、また隣り合う充填体構成要素に移って液体の流れに不均一を生じることなく液集合器に流れる。その結果各充填体構成要素を流れる液体の量は均一となり、均一な気液接触が達成される。また各充填体構成要素は装置内で垂直方向に延長しているので、圧力損失を最小限に押えることができる。さらに、液分配器と規則充填体はアダプターで直結されており、規則充填体と液集合器もコレクターで直結されているので、気体の流速増加による液分配器と規則充填体との間および規則充填体と液集合器の間の空間における液滴の飛散、吹き上げを防止することができる。
【００１０】
本発明は、この改良された気液接触機構における気液接触性能をさらに向上させることを目的とするものである。
【課題を解決するための手段】
【００１１】
上記本発明の目的を達成する第１の構成は、装置の上部に配置された液分配器と装置の下部に配置された液集合器との間において多数の流路を区画する内部構造を有し、気体と液体間の物質移動、熱交換または混合を行なう装置において、該内部構造を構成する規則充填体であって、複数の充填体構成要素からなり、各充填体構成要素は、装置の内壁および隣り合う充填体構成要素と非接触状態で互いに平行に垂直方向に延長する規則充填体を備え、前記各充填体構成要素は、２筋のワイヤからなり、該２筋のワイヤはそれぞれリング形状部と集結部が交互に繰り返す構造を有することを特徴とするものである。
【００１２】
本発明の第２の構成は、該液分配器と該規則充填体を連結し、該液分配器から液体を該規則充填体に供給する複数のアダプターと、該液集合器と該規則充填体を連結し、該規則充填体からの液体を該液集合器に供給する複数のコレクターとをさらに備えることを特徴とするものである。
【００１３】
本発明の第３の構成は、装置の上部に配置された液分配器と装置の下部に配置された液集合器との間において多数の流路を区画する内部構造を有し、気体と液体間の物質移動、熱交換または混合を行なう装置において、該内部構造を構成する規則充填体であって、複数の充填体構成要素からなり、各充填体構成要素は、装置の内壁および隣り合う充填体構成要素と非接触状態で互いに平行に垂直方向に延長する規則充填体を備え、前記各充填体構成要素は、３筋のワイヤからなり、該３筋のワイヤはそれぞれリング形状部と集結部が交互に繰り返す構造を有することを特徴とする。
【００１４】
本発明の第４の構成は、該液分配器と該規則充填体を連結し、該液分配器から液体を該規則充填体に供給する複数のアダプターと、該液集合器と該規則充填体を連結し、該規則充填体からの液体を該液集合器に供給する複数のコレクターとをさらに備えることを特徴とするものである。
【００１５】
本発明の第５の構成は、複数の平歯車の各平歯車の回転軸と平行な中心軸を有する２つの貫通孔を各平歯車に形成し、該２つの貫通孔に該２筋のワイヤを挿通させ、害２筋のワイヤにおいて該集結部を形成すべき部分において該平歯車を所定回数回転させ該平歯車の下側において該２筋のワイヤを捩じることにより該集結部を形成し、次に該２筋のワイヤを所定寸法だけ下方に移動させ、該２筋のワイヤにおいてリング形状部を形成すべき部分において、該平歯車の下側にリング形成用の串を該２筋のワイヤの間に位置するように挿入した後該平歯車を所定回数回転させ該平歯車の下側でかつ該串の上側において該２筋のワイヤを捩じることにより集結部を形成し、次に該串を後退させて該２筋のワイヤから引き抜いてリング形状部を形成した後該２筋のワイヤを所定寸法だけ下方に移動させ、その後該串の挿入、該平歯車の回転、該串の引き抜き、該ワイヤの下方移動を繰り返すことにより、該リング形状部と該集結部を交互に繰り返し形成することを特徴とする上記第１の構成の充填体構成要素を備える気液接触機構の製造方法である。
【００１６】
本発明の第６の構成は、複数の平歯車の各平歯車の回転軸と平行な中心軸を有する３つの貫通孔を各平歯車に形成し、該３つの貫通孔に該３筋のワイヤを挿通させ、該３筋のワイヤにおいて該集結部を形成すべき部分において該平歯車を所定回数回転させ該平歯車の下側において該３筋のワイヤを捩じることにより該集結部を形成し、次に該３筋のワイヤを所定寸法だけ下方に移動させ、該３筋のワイヤにおいてリング形状部を形成すべき部分において、該平歯車の下側にリング形成用の串を該３筋のワイヤの間に位置するように挿入した後該平歯車を所定回数回転させ該平歯車の下側でかつ該串の上側において該３筋のワイヤを捩じることにより集結部を形成し、次に該串を後退させて該３筋のワイヤから引き抜いてリング形状部を形成した後該３筋のワイヤを所定寸法だけ下方に移動させ、その後該串の挿入、該平歯車の回転、該串の引き抜き、該ワイヤの下方移動を繰り返すことにより、該リング形状部と該集結部を交互に繰り返し形成することを特徴とする上記第３の構成の充填体構成要素を備える気液接触機構の製造方法である。
【発明の効果】
【００１７】
本発明の上記第１の構成によれば、気液接触機構を構成する各充填体構成要素は、２筋のワイヤからなり、該２筋のワイヤはそれぞれリング形状部と集結部が交互に繰り返す構造を有するので、これを伝って流下する液体はリンク形状部ではリング内の円形空間を覆う薄い液膜となり、液の表面積が最大となって、下方から上昇する気体と最も効果的な接触が行われることになる。次いでこの液膜を形成する液体はワイヤのリング形状部から直下の集結部に流下し、ここで液を集合した後さらにその直下のリング形状部に流下して再びリング内部空間を覆う液膜となり、以下この動作および形状変化を交互に繰り返す。こうして次ぎ次ぎと連続して液膜が更新され最大の気液接触効果が達成される。
【００１８】
また、筋状のワイヤは途中の分岐がないので圧力損失は少ない。また、性能が高いことにより、性能に対する圧力損失は極めて低いことになる。
【００１９】
上記第３の構成によれば、第１の構成と同様の効果がある上に、リングを形成する外側の２筋のワイヤの中間に直線状の第３のワイヤが配置されているので、この第３のワイヤがリングを補強し、円形の液膜の破損を防止する機能を発揮し、一層効率の良い気液接触を行うことができる。
【００２０】
上記第５の構成によれば、簡単な装置と方法により、上記第１の構成の充填体構成要素を大量生産することができる。
【００２１】
上記第６の構成によれば、簡単な装置と方法により、上記第２の構成の充填体構成要素を大量生産することができる。
【発明を実施するための最良の形態】
【００２２】
以下添付図面を参照して、本発明の実施の形態について説明する。図1および図２は本発明にかかる気液接触機構の１実施形態を示すもので、図1はこの気液接触機構が使用される装置全体を示す模式的縦断面図、図２は気液接触機構のワイヤ状充填体構成要素を示す斜視図である。
【００２３】
図１において、気体と液体間の物質移動等のために気液接触を行なう規則充填体を収容する充填塔１０は上下方向に長い円筒状の塔で、その上部には気液接触の対象物である液体を下方の規則充填体に分配するための上下方向に延長する複数の管状の液分配器２が配置されている。液分配器２には液供給管１１を介して液体が供給される。充填塔１０の下部には気液接触を完了した液体を収集する複数の管状の液集合器３が配置されている。液集合器３は液体取り出し口８に連通している。
【００２４】
塔１０の下部側壁には気液接触の対象となる気体の流入口９が開口しており、塔１０の頂部には気液接触を完了した気体の流出口１２が開口している。
【００２５】
塔１０内には、上から、液分配器２に連結された複数のワイヤ状アダプター４、各アダプター４と一体的に成形された複数のワイヤ状の充填体構成要素６からなる規則充填体５、各充填体構成要素６と一体的に成形された複数のワイヤ状コレクター７が配置されている。
【００２６】
規則充填体５は、多数の垂直方向に延長するワイヤ状充填体構成要素６が相互に所定間隔を維持した状態で、すなわち隣り合う充填体構成要素６どうしが非接触状態で平行に、横断面において行と列を形成するようにして配置されている。各充填体構成要素６は塔１０の内壁とも非接触状態を維持するように配置されている。
【００２７】
本実施形態において、液分配器２と規則充填体５を連結し液分配器２から液体を規則充填体５に供給する各ワイヤ状アダプター４は充填体構成要素６の中のいずれかと１対１の関係で一体的に形成されている。各アダプター４は、他のアダプターから分岐することなく、また他のアダプターを分岐することなく、管状液分配器２に直接連結されている。したがって、管状液分配器２の下端部の内部には集合体を構成する複数の充填体構成要素６のそれぞれと一体化した複数のアダプター４が集合し束ねられた形で挿入され保持されている。各アダプター４は隣り合うアダプターとの間にある程度の隙間が形成され、液体が各アダプター４の全周からアダプター４を伝って流下するようにゆるやかに束ねられた状態で挿入されている。
【００２８】
本実施形態において、管状の液集合器３と規則充填体５を連結し規則充填体５からの液体を液集合器３に供給する各ワイヤ状コレクター７は、アダプター４と同様、充填体構成要素６の中のいずれかと１対１の関係で一体的に形成されている。各コレクター７は、他のコレクターから分岐することなく、また他のコレクターを分岐することなく、管状液集合器３に直接連結されている。したがって、管状液集合器３の上端部の内部には複数の充填体構成要素６のそれぞれと一体化した複数のコレクター７が集合し束ねられた形で挿入され保持されている。
【００２９】
ワイヤ状充填体構成要素６、ワイヤ状アダプター４およびワイヤ状コレクター７を形成するワイヤ材料としては、金属線のほかプラスチック繊維、カーボン繊維、セラミック繊維、綿等の植物繊維、羊毛等の動物繊維等あらゆる繊維が使用可能である。また、ワイヤの態様としてはワイヤ、撚糸、モノフイラメント、針金等特に限定はないが、複数本の細い鋼線を撚り合わせて作ったワイヤ等の撚り糸状または撚り線状のワイヤ材料は、液体が毛細管現象により撚り糸を構成する複数の糸または線材の間の空間を伝って流れることにより液体の移動を促進するので好ましい。本実施形態においては、好ましい１例として、直径０．２５ｍｍの鋼線を４本撚り合わせて作った鋼線を２本撚り合わせたワイヤを１本の充填体構成要素６、アダプター４、コレクター７として使用することができる。
【００３０】
図２は、規則充填体５を形成する各ワイヤ状充填体構成要素６の実施形態として３筋のワイヤからなる充填体構成要素６を示す斜視図である、
各充填体構成要素６は３筋のワイヤがリング形状部と終結部が交互に繰り返す構造を有する。すなわち、図３の拡大図に示すように、各充填体構成要素６の外側の２筋のワイヤ６ａ、６ｂはそれぞれ外側に張り出す円弧状に曲げられてリングを形成し、中央の１筋のワイヤ６ｃは上下方向に直線状に延長する。そしてこれら３筋のワイヤ６ａ、６ｂ、６ｃによってリング形状部１５が形成されている。
【００３１】
リング形状部１５の直下には外側ワイヤ６ａ、６ｂが中央ワイヤ６ｃの周りに捩じられて集結部１７が形成されている。
【００３２】
集結部１７の直下においては集結部１７で捩じられていた外側ワイヤ６ａ、６ｂか開いて円弧状に曲げられ、再びリング形状部１５を形成されている。
【００３３】
こうして、各充填体構成要素６は上下方向にリング形状部１５と集結部１７が連続して交互に繰り返し形成される構造となっていうる。
【００３４】
規則充填体５においては、鋼線等の長い部材からなる複数のスペーサー１９が上下方向に所定の間隔で充填体構成要素６の集結部１７を貫通してかつスペーサーどうしが交差するようにして配置されており、これらスペーサー１９はその両端部が塔壁または図示しないフレームに固定されている。このように構成されたスペーサー１９は、隣り合う充填体構成要素６に所定の間隔を維持させる機能を果たし、隣り合う充填体構成要素６間に液の移動が行われることによる偏流の発生を防止する。
【００３５】
図４は規則充填体５を形成する各ワイヤ状充填体構成要素６の他の実施形態として２筋のワイヤからなる充填体構成要素６を示す図３と同様の拡大図である、
各充填体構成要素６は２筋のワイヤがリング形状部と終結部が交互に繰り返す構造を有する。すなわち、図４に示すように、各充填体構成要素６の外側の２筋のワイヤ６ａ、６ｂはそれぞれ外側に張り出す円弧状に曲げられてリングを形成する。この実施態様においては、中央の１筋のワイヤ６使用されていない。そしてこれら２筋のワイヤ６ａ、６ｂによってリング形状部１５が形成されている。
【００３６】
リング形状部１５の直下には外側ワイヤ６ａ、６ｂが捩じられて集結部１７が形成されている。
【００３７】
集結部１７の直下においては集結部１７で捩じられていた外側ワイヤ６ａ、６ｂか開いて円弧状に曲げられ、再びリング形状部１５を形成されている。
【００３８】
こうして、各充填体構成要素６は上下方向にリング形状部１５と集結部１７が連続して交互に繰り返し形成される構造となっていうる。
【００３９】
次に上記２筋のワイヤからなる充填体構成要素６を使用する気液接触機構の動作について説明する。  
上記実施態様によれば、気液接触機構を構成する各充填体構成要素６は、２筋のワイヤ６ａ、６ｂからなり、該２筋のワイヤはそれぞれリング形状部１５と集結部１７が交互に繰り返す構造を有するので、これを伝って流下する液体はリンク形状部１５ではリング内の円形空間を覆う薄い液膜となり、液の表面積が最大となって、下方から上昇する気体と最も効果的な接触が行われることになる。次いでこの液膜を形成する液体はワイヤのリング形状部１５から直下の集結部１７に流下し、ここで液を集合した後さらにその直下のリング形状部１５に流下して再びリング内部空間を覆う液膜となり、以下この動作および形状変化を交互に繰り返す。こうして次ぎ次ぎと連続して液膜が更新され最大の気液接触効果が達成される。
【００４０】
また、筋状のワイヤは途中の分岐がないので圧力損失は少ない。また、性能が高いことにより、性能に対する圧力損失は極めて低いことになる。
【００４１】
また上記３筋のワイヤからなる充填体構成要素６を使用する実施態様によれば、２筋のワイヤを使用する実施態様と同様の効果がある上に、リングを形成する外側の２筋のワイヤの中間に直線状の第３のワイヤが配置されているので、この第３のワイヤがリングを補強し、円形の液膜の破損を防止する機能を発揮し、一層効率の良い気液接触を行うことができる。
【００４２】
なお、本発明は、図１に示すようなアダプター、コレクターを備えず、液分配器から複数の充填体構成要素が直接垂直に垂れ下がる構造の気液接触機構にも適用できるものでである。
【００４３】
次に上記３筋のワイヤを使用する充填体構成要素６を製造する方法について図５〜図８を参照して説明する。  
図５はこの製造方法に使用する装置を模式的に示す平面図である。図５に示す歯車装置２７においては、一対の平行に配置されたラック２０、２１の間に規則充填体として同時に製造すべき充填体構成要素６の数と同数の平歯車２３が配置されている。平歯車２３のうちラック２０、２１に隣接する平歯車はラック２０、２１の歯と噛合い、これらラック２０、２１と噛合う平歯車２３の間に配置された平歯車２３はそれぞれ隣接する平歯車と噛合っている。したがって、ラック２０が矢印Ａ方向、ラック２１が矢印Ｂ方向に移動すると、ラック２０、２１と直交する方向に見て図名ｋ最上段の平歯車２３ａは反時計方向に回転し、次の段の平歯車２３ｂは時計方向に回転し、さらに次の段の平歯車２３ｃは反時計方向に回転し、その他の平歯車２３も同様に隣接する平歯車２３と逆方向に時計方向と反時計方向のいずれかに回転する。
【００４４】
各平歯車２３には、図６（ａ）、図７および図８に示すように、各平歯車２３の回転軸と平行な中心軸を有する３つの貫通孔２４が各平歯車２３に形成されており（中央の貫通孔は図８に示すように平歯車の心棒３０の中心部を貫通している）、各貫通孔２４には各充填体構成要素６を形成すべき３筋のワイヤ６ａ、６ｂ、６ｃが上下方向に挿通されている。なお、図６及び図７においては図示の便宜上一部の平歯車２３のみに貫通孔２４が図示されているが、貫通孔２４はすべての平歯車２３に形成されている。
【００４５】
図６（ｂ）において、リング形成用の複数の串２５が固定された串往復装置２６が歯車装置２７の一方側に矢印Ｃ−Ｄ方向に往復移動可能に設けられている。なお、串２５はすべての平歯車２３の貫通孔２４に挿通された各３筋のワイヤの間に挿入される数だけ設けられているが、図示を簡略化するため４本の串だけが示されている。また、図６、図７においては歯車装置２７のラック２０、２１は図示を省略している。
【００４６】
この歯車装置２７を使用して充填体構成要素６を製造するには、まず、各平歯車２３の３つの貫通孔２４に挿通された３筋のワイヤ６ａ、６ｂ、６ｃにおいて上下方向最下段の集結部１７を形成すべき部分において各平歯車２３を所定回数（少なくとも１回転半）回転させ平歯車２３の下側において３筋のワイヤ６ａ、６ｂ、６ｃを捩じることにより集結部１７を形成する。
【００４７】
次に３筋のワイヤを所定寸法だけ下方に移動させ、該３筋のワイヤにおいてリング形状部１５を形成すべき部分において、図７に示すように、串往復装置２６を図６中矢印Ｃ方向に前進させることにより図８に示すように各平歯車２３の下側にリング形成用の串２５を３筋のワイヤ６ａ、６ｂ、６ｃの間に位置するように挿入した後平歯車２３を所定回数回転させ平歯車２３の下側でかつ串２５の上側において３筋のワイヤを捩じることにより集結部１７を形成する。
【００４８】
次に串往復装置２６を矢印Ｄ方向に後退させて３筋のワイヤから引き抜いてリング形状部１５を形成した後３筋のワイヤを所定寸法だけ下方に移動させ、その後串２５の挿入、平歯車２３の回転、串２５の引き抜き、ワイヤの下方移動を繰り返すことにより、リング形状部１５と集結部１７を必要な数だけ交互に繰り返し形成することにより、多数の充填体構成要素６を同時に製造することができる。
【００４９】
上記製造方法により、集結部１７は３筋のワイヤを捩じることによって形成されるが、充填体構成要素は上記方法によるだけではなく、他の方法によって製造してもよい。そして集結部もワイヤを捩じる方法以外に溶接、クランプ等他の方法によってワイヤを集合、固定するようにしてもよい。
【００５０】
次に上記２筋のワイヤを使用する充填体構成要素６を製造する方法について図９〜図１０を参照して説明する。  
図９、図１０はこの製造方法に使用する装置を模式的に示す平面図である。図９、１０において図５〜図８と同一構成要素は同一符号で示し、その説明を省略する。
【００５１】
この方法においては、リングを形成するために串往復装置２６を移動して１本の串２５を２筋のワイヤの間に挿入し、引き抜く操作において３筋のワイヤを使用する充填体構成要素の製造方法と異なるのみで他の操作は３筋のワイヤの製造方法と同一である。
【実施例】
【００５２】
以下本発明の実施例について説明する。  
気液接触機構が設置される塔内の気液接触処理量は塔内速度（Ｆフアクター、ｎ/秒））に比例する。たとえば、塔の断面積が２ｍ２の場合、Ｆフアクターが２ｍ/秒であると処理量は４ｍ３/秒となり、Ｆフアクターが５ｍ/秒であると処理量は１０ｍ３/秒となる。そして気液接触機構の性能は単位高さあたりの理論段数（ＮＴＳ/ｍ）で表現される。
【００５３】
本発明の１実施例として、直径０．４ｍｍの鋼線６本をより合わせてなるワイヤを３筋使用して１本の充填体構成要素として図２に示す態様の規則充填体を作成し、各リング形状部１５のリングの内径を３ｍｍとし、２つのリング形状部の間のピッチを１６．５ｍｍとした。比較例として同一のワイヤからなる充填体構成要素でリングを形成しないものにより規則充填体を作成した。実施例と比較例の性能は下表１のとおりであった。
【００５４】
【表１】
2008168251.tif 000003
【００５５】
以上の結果から、リングを備える充填体構成要素の方がリンクを備えない充填体構成要素に比べて気液接触装置における性能が有意に優れていることが判る。
【００５６】
また、実験の結果、複数のリングを備えた同一高さの充填体構成要素同士ではリングの数の多いほうが少ないものにくらべて性能がよいことも判明した。
【図面の簡単な説明】
【００５７】
【図１】本発明の気液接触機構が使用される装置全体を示す模式的縦断面図である。
【図２】本発明の１実施態様を示す斜視図である。
【図３】３筋のワイヤからなる充填体構成要素を示す図である。
【図４】２筋のワイヤからなる充填体構成要素を示す図である。
【図５】充填体構成要素製造装置の１例を示す平面図である。
【図６】この製造装置を使用して充填体構成要素を製造する方法を示す平面図である。
【図７】この製造装置を使用して充填体構成要素を製造する方法を示す平面図である。
【図８】この製造装置を使用して充填体構成要素を製造する方法を示す側面図である。
【図９】充填体構成要素を製造する方法の他の実施態様を示す平面図である。
【図１０】充填体構成要素を製造する方法の他の実施態様示す平面図である。
【図１１】従来の気液接触機構の１例を示す部分断面図である。
【図１２】従来の気液接触機構の他の例を示す縦断面図である。
【符号の説明】
【００５８】
１  気液接触機構
２  管状液分配器
３  液集合器
４  アダプター
５  規則充填体
６  充填体構成要素
７  コレクター
６ａ、６ｂ、６ｃ  ワイヤ
１５  リング形状部
１７  集結部
２３  平歯車
２５  串
【図１】
2008168251.tif 000004
【図２】
2008168251.tif 000005
【図３】
2008168251.tif 000006
【図４】
2008168251.tif 000007
【図５】
2008168251.tif 000008
【図６】
2008168251.tif 000009
【図７】
2008168251.tif 000010
【図８】
2008168251.tif 000011
【図９】
2008168251.tif 000012
【図１０】
2008168251.tif 000013
【図１１】
2008168251.tif 000014
【図１２】
2008168251.tif 000015